(57)【要約】【課題】  操作パネルに複数配設されたワンタッチキー等の操作キーのいずれかが操作された場合に、操作パネルに回動可能に設けられたシートの状態に応じて異なるキーコードを出力する操作入力装置において、シートの状態を検出する検出キーがその検出信号を出力するための検出キー専用の信号線を設ける必要のない操作入力装置を提供する。【解決手段】  複数の出力信号線Ｘ１乃至Ｘ５と複数の入力信号線Ｙ１乃至Ｙ４とが交差する各交差部に、操作キー１９とシート２０乃至２２の状態を検出する検出キー２３乃至２５が各々配設されたキーマトリクスＫＭを備える。【選択図】      図５
2006023874.tif 000002
【特許請求の範囲】
【請求項１】
操作パネルに複数配設された操作キーのいずれかが操作された場合に、前記操作パネルに回動可能に設けられたシートの状態に応じて異なるキーコードを出力する操作入力装置において、
複数の出力信号線と複数の入力信号線とが交差する各交差部に、前記操作キーと前記シートの状態を検出する検出キーとが各々配設されたキーマトリクスと、前記複数の出力信号線から順次出力した所定の信号が前記複数の入力信号線から入力されるか否かを監視することにより前記操作キーの状態及び前記検出キーの状態を取得する取得手段と、該手段が取得した検出キーの状態を記憶する記憶手段と、前記操作キーが操作されたことにより前記取得手段が取得した操作キーの状態が変化した場合に、操作された操作キーを特定して前記記憶手段の前記検出キーの状態に基づいてその操作キーに対応するキーコードを生成するキーコード生成手段と、を備えることを特徴とする操作入力装置。
【請求項２】
前記取得手段は、所定の周期で前記複数の出力信号線から順次出力した所定の信号が前記複数の入力信号線から入力されるか否かを監視することにより前記操作キーの状態及び前記検出キーの状態を取得し、
前記記憶手段は、記憶している検出キーの状態に代えて前記取得手段が新たに取得した検出キーの状態を記憶することを特徴とする請求項１記載の操作入力装置。
【請求項３】
前記キーコード生成手段は、前記操作キーが操作されることなく前記取得手段が取得した操作キーの状態が変化しなかった場合に、前記操作キーが操作されていない旨のコードを生成することを特徴とする請求項１又は２記載の操作入力装置。
【発明の詳細な説明】
【技術分野】
【０００１】
本発明は、操作入力装置に関し、詳しくは、ファクシミリ装置やコピー機、これらの複合機等が備える操作入力装置に関する。
【背景技術】
【０００２】
コピー機能やファクシミリ機能を有する複合機は、ユーザが複合機を使用する際に複合機に対する動作指示や設定等の入力を行うための操作入力装置を具備している。操作入力装置には、原稿の読取り開始を指示するためのスタートキー、ファクシミリ番号やコピー部数等を入力するためのテンキー、予め登録されたファクシミリ番号を指定するためのワンタッチキー等の多数のキーが配設されている。このような操作入力装置を具備する複合機において、従来は操作パネルに複数配設されたワンタッチキーに対応付けて登録できるファクシミリ番号の数を増やす場合には、それに応じてワンタッチキーの数を増やす必要があり、操作パネルが大型化するという問題があった。かかる事情を考慮して、操作パネルを大型化させることなくワンタッチキーに登録できるファクシミリ番号の数を増やすことができる操作入力装置が特許文献１に開示されている。
【０００３】
特許文献１の操作入力装置は、図２に示すように、操作パネルＰに回動可能に設けられた第１シート２０と、第１シート２０の閉状態を検出する第１センサ（反射型フォトインタラプタ）２８と、第１シート２０の下方に第１シート２０と同様に設けられた第２シート２１と、第２シート２１の閉状態を検出する第２センサ２９と、第２シート２１の下方に第１シート２０と同様に設けられた第３シート２２と、第３シート２２の閉状態を検出する第３センサ３０と、を具備している。この操作入力装置は、センサ２８乃至３０が検出したシート２０乃至２２の状態に基づいて、ユーザによって押下されたワンタッチキー１９のキーコードを生成するものである。例えば、図３（ａ）に示すように、シート２０乃至２２が全て閉じられている場合に、第１シート２０に記載された番号「０１」に対応するワンタッチキー１９ａ（１９）をユーザが押下すると、これに対応するキーコードが生成される。また、図３（ｂ）に示すように、第１シート２０が開いており、第２シート２１及び第３シート２２が閉じられている場合に、第２シート２１に記載された番号「１７」に対応するワンタッチキー１９ａをユーザが押下すると、これに対応するキーコードが生成される。つまり、同じワンタッチキー１９ａが押下されたとしても、シート２０乃至２２の状態に応じて異なるキーコードが生成されるので、１つのワンタッチキー１９に対して複数のファクシミリ番号を割当てることができ、ワンタッチキー１９の数を増やすことなくワンタッチキー１９で指定することができるファクシミリ番号の登録件数を増やすことができる。
【０００４】
図８は、上記の操作入力装置においてシート２０乃至２２の状態を検出する反射型のセンサ２８乃至３０が、シートの開閉に伴って上下動する被検出体の状態によりシート２０乃至２２の閉状態を検出する検出キー２３乃至２５によって構成された操作入力装置の電気的な構成を示した図である。操作入力装置は、図示するように、押下されたワンタッチキー１９とシート２０乃至２２の状態に基づいてキーコードを生成するパネルＩＣ（Integrated Circuit）３１と、該パネルＩＣ３１からの出力信号線Ｘ１乃至Ｘ４とパネルＩＣ３１への入力信号線Ｙ１乃至Ｙ４とが交差することにより形成されたキーマトリクスＫＭと、シート２０乃至２２の状態を検出するための検出キー２３乃至２５等を具備して構成されている。また、キーマトリクスＫＭの各交差部には、各ワンタッチキー１９が配設されており、ワンタッチキー１９が押下された場合に、そのワンタッチキー１９が位置する交差部を形成する出力信号線と入力信号線が接続されるようになっている。
【０００５】
上記のように構成された操作入力装置において、パネルＩＣ３１は、出力信号線Ｘ１乃至Ｘ４から順次所定の監視信号を出力し、出力した監視信号が入力信号線Ｙ１乃至Ｙ４から入力されたか否かを監視することにより、ワンタッチキー１９のキー操作の有無を監視している。例えば、出力信号線Ｘ２から出力した監視信号が入力信号線Ｙ４から入力された場合には、パネルＩＣ３１は、この出力信号線Ｘ２と入力信号線Ｙ４との交差部に配設されているワンタッチキー１９ｂ（１９）が押下されたことを検出できるようになっている。そして、第３シート２２のみが閉じられている場合には、図４（ａ）に示すように、ワンタッチキー１９ｂの「４０」に対応するキーコードを生成して複合機の制御部（メイン基板）３２に信号線を介して転送（出力）する。なお、第１シート２０及び第２シート２１の状態を検出するための第１検出キー２４及び第２検出キー２５は、信号線（ハーネス）Ｉ１及びＩ２によって制御部３２と直接接続されており、制御部３２は、上記の場合において第３シート２２だけでなく例えば第２シート２１も閉じられていると第２検出キー２４の検出結果から判断した場合、図３（ｂ）に示すように、ワンタッチキー１９ｂの「２４」に対応するファクシミリ番号が指定されたと判断して必要な処理を行う。
【特許文献１】特開２００１−２３６１７０号公報
【発明の開示】
【発明が解決しようとする課題】
【０００６】
しかしながら、上記の操作入力装置では、検出キー２３乃至２５の状態を検出するための信号線Ｉ３をパネルＩＣ３１に接続するとともにパネルＩＣ３１に接続することができない残りの信号線Ｉ１及びＩ２を複合機の制御部３２に接続する必要がある。すなわち、キーコードを出力するための信号線の他に検出キー専用の信号線を制御部３２と接続しなければならなかった。
【０００７】
本発明は、かかる課題に鑑みてなされたものであり、操作パネルに複数配設されたワンタッチキー等の操作キーのいずれかが操作された場合に、操作パネルに回動可能に設けられたシートの状態に応じて異なるキーコードを出力する操作入力装置において、シートの状態を検出する検出キーがその検出信号を出力するための検出キー専用の信号線を設ける必要のない操作入力装置を提供することを目的とする。
【課題を解決するための手段】
【０００８】
上記目的を達成するために、請求項１記載の操作入力装置は、操作パネルに複数配設された操作キーのいずれかが操作された場合に、前記操作パネルに回動可能に設けられたシートの状態に応じて異なるキーコードを出力する操作入力装置において、複数の出力信号線と複数の入力信号線とが交差する各交差部に、前記操作キーと前記シートの状態を検出する検出キーとが各々配設されたキーマトリクスと、前記複数の出力信号線から順次出力した所定の信号が前記複数の入力信号線から入力されるか否かを監視することにより前記操作キーの状態及び前記検出キーの状態を取得する取得手段と、該手段が取得した前記検出キーの状態を記憶する記憶手段と、前記操作キーが操作されたことにより前記取得手段が取得した操作キーの状態が変化した場合に、操作された操作キーを特定して前記記憶手段の前記検出キーの状態に基づいてその操作キーに対応するキーコードを生成するキーコード生成手段と、を備えることを特徴としている。
【０００９】
請求項２記載の操作入力装置は、請求項１記載の操作入力装置において、前記取得手段は、所定の周期で前記複数の出力信号線から所定の信号を順次出力して前記操作キーの状態及び前記検出キーの状態を取得し、前記記憶手段は、記憶している検出キーの状態に代えて前記取得手段が新たに取得した検出キーの状態を記憶することを特徴としている。
【００１０】
請求項３記載の操作入力装置は、請求項１又は２記載の操作入力装置において、前記キーコード生成手段は、前記操作キーが操作されることなく前記取得手段が取得した操作キーの状態が変化しなかった場合に、前記操作キーが操作されていない旨のコードを生成することを特徴としている。
【発明の効果】
【００１１】
請求項１記載の操作入力装置によれば、シートの状態を検出する検出キーがキーマトリクスに組み込まれているので、自装置を装備する例えば複合機等の装置の制御部と検出キーとを接続するための検出キー専用の信号線を不要にすることができる。
【００１２】
請求項２記載の操作入力装置によれば、所定の周期で取得した検出キーの状態に基づいてキーコードを生成するので、ユーザが操作キーを押下した場合に、正しいキーコードを生成することができる。
【００１３】
請求項３記載の操作入力装置によれば、操作キーが押下されない場合には、操作キーが押下されていない旨のコードが生成される。したがって、自装置を装備する例えば複合機等の装置は、キー操作の有無を容易に判断することができる。
【発明を実施するための最良の形態】
【００１４】
以下、本発明の実施形態に係る操作入力装置をコピー機能及びファクシミリ機能を有する複合機に具体化した一実施形態について図面に基づいて説明する。複合機１は、図１に例示するように、制御部（ＭＰＵ：Microprocessing Unit）２、ＲＯＭ（Read Only Memory）３、原稿読取部４、コーデック５、画像メモリ６、記録部７、通信部８、ＲＡＭ（Random Access Memory）９、及び操作入力装置１０を備えたものであって、各部２乃至９はバス１１によって通信可能に接続されている。
【００１５】
制御部２は、ＲＯＭ３に格納された制御プログラムに従って、この複合機１を構成する各部を制御するものである。原稿読取部４は、原稿の画像を読取って画像データを出力するものであり、図示しないがＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１６】
コーデック５は、画像データの符号化及び復号を行うものである。具体的には、原稿読取部４で読取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。また、コンピュータで一般的に使用される画像フォーマットであるＴＩＦＦ（Tagged Image File Format）形式やＰＤＦ（Portable Document Format）形式にも対応して画像データを符号化、復号する。画像メモリ６は、原稿読取部４から直接出力された画像データ、コーデック５において符号化された画像データの他、ファクシミリ送信又はファクシミリ受信した画像データを蓄積する。
【００１７】
記録部７は、原稿読取部４において読取られた画像データ、ファクシミリ受信した画像データ等の画像を用紙に記録するものである。この記録部７における記録方式としては、例えば、電子写真方式を用いることができる。
【００１８】
通信部８は、モデム１２及びＮＣＵ（Network Control Unit）１３を備えている。モデム１２は、例えばＩＴＵ−Ｔ（国際電気通信連合電気通信標準化部門）の勧告Ｖ．３４規格又はこれと同様のものに従って送受信データを変調又は復調する。ＮＣＵ１３は、電話回線を制御して電話をかけたり、切ったりする回線網制御装置であり、ＰＳＴＮ（Public Switched Telephone Network）１４に接続されている。
【００１９】
ＲＡＭ９は、制御部２の主メモリ、ワークエリア等として機能し、各種の設定情報を記憶している。また、ＲＡＭ９は、後述する操作入力装置１０が制御部２に転送するキーコード（ワンタッチキーの番号）に対応付けて登録されたファクシミリ番号を記憶している。
【００２０】
操作入力装置１０は、２本の信号線Ｌ１及びＬ２を介して制御部２に接続されたパネルＩＣ１５と、キー入力部１６と、各種の設定状態や複合機１の動作状態などを文字や図形などで表示する液晶表示装置（ＬＣＤ：Liquid Crystal Display）１７と、点灯又は点滅で表示するＬＥＤランプ１８と、を備えている。キー入力部１６は、原稿読取部４に原稿の読取開始を指示するためのスタートキー、ファクシミリ番号やコピー部数等を入力するためのテンキー、ＲＡＭ９に予め登録されたファクシミリ番号を指定するためのワンタッチキー（操作キー）等を備えている。なお、液晶表示装置１７を操作機能を兼ね備えたタッチパネル付きの液晶表示装置として、液晶表示装置１７から上記の動作指示等を行うようにしてもよい。
【００２１】
また、操作入力装置１０は、図２に示すように、複数のワンタッチキー１９が配設された操作パネルＰに回動可能に設けられた第１シート２０と、第１シート２０の閉状態を検出する第１検出キー２３と、を具備している。第１シート２０には、各ワンタッチキー１９に対応する位置に孔２０ａが透設されており、また、第１シート２０が閉じた状態で第１検出キー２３を押下するタブ２０ｂが設けられている。この第１シート２０には、図３（ａ）に示すように、各孔２０ａの近傍に「０１」〜「１６」の番号が表記されている。また、操作入力装置１０は、図２に示すように、第１シート２０と同様に形成され、第１シート２０の下方に回動可能に設けられた第２シート２１と、第２シート２１の閉状態を検出する第２検出キー２４と、第１シート２０と同様に形成され、第２シート２１の下方に回動可能に設けられた第３シート２２と、第３シート２２の閉状態を検出する第３検出キー２５と、を備えている。なお、第２シート２１には、図３（ｂ）に示すように、各孔２１ａの近傍に「１７」〜「３２」の番号が表記されており、第３シート２２には、図４（ａ）に示すように、各孔２２ａの近傍に「３３」〜「４８」の番号が表記されており、操作パネルＰには、図４（ｂ）に示すように、各ワンタッチキー１９の近傍に「４９」〜「６４」の番号が表記されている。
【００２２】
上記構成を備える複合機１は、原稿の画像データを読取ってその画像を用紙に記録するコピー機能や、外部の装置との間で原稿の画像データをファクシミリ送受信する機能を有している。この複合機１が備える操作入力装置１０は、ユーザによってワンタッチキー１９が押下されると、検出キー２３乃至２５により検出したシート２０乃至２２の状態に基づいて、押下されたワンタッチキー１９に対応するキーコードを生成する。以下、パネルＩＣ１５、ワンタッチキー１９及び検出キー２３乃至２５の構成、押下されたワンタッチキー１９に対応するキーコードを生成する際のパネルＩＣ１５の処理動作について説明する。
【００２３】
パネルＩＣ１５、ワンタッチキー１９及び検出キー２３乃至２５の構成を図５に示す。パネルＩＣ１５は、クロック発生器２６で生成したクロック信号で動作し、検出キー２３乃至２５の状態に基づいて押下されたワンタッチキー１９に対応するキーコードを生成する。また、パネルＩＣ１５は、クロック発生器２６で生成したクロック信号で動作し、信号線Ｌ１を介して制御部２から受信した表示用データを液晶表示装置１７に表示させたりＬＥＤランプ１８を点灯させるとともに、信号線Ｌ２を介して制御部２にキーコードを転送する。クロック発生器２６は、クロック信号を生成するものであり、パネルＩＣ１５に直接接続されている。なお、クロック発生器２６には、水晶発振子、セラミック発振子、或いは、ＲＣ発振を使用することができる。また、パネルＩＣ１５は、レジスタ２７を備えており、このレジスタ２７は、パネルＩＣ１５が取得した検出キー２３乃至２５の状態を記憶する記憶手段として機能する。なお、パネルＩＣ１５は、ワンタッチキー１９及び検出キー２３乃至２５の監視等に使用するためにクロック信号を必要とする。
【００２４】
ワンタッチキー１９と検出キー２３乃至２５は、パネルＩＣ１５からの出力信号線Ｘ１乃至Ｘ５とパネルＩＣ１５への入力信号線Ｙ１乃至Ｙ４が交差することにより形成されたキーマトリクスＫＭの各交差部に配設されている。具体的には、出力信号線Ｘ１乃至Ｘ５と入力信号線Ｙ１乃至Ｙ４とが交差する各交差部で出力信号線Ｘ１乃至Ｘ５と入力信号線Ｙ１乃至Ｙ４が接続されるようになっている。そして、各ワンタッチキー１９は、出力信号線Ｘ１乃至Ｘ４と入力信号線Ｙ１乃至Ｙ４とが交差する各交差部に配設されており、各ワンタッチキー１９がユーザに押下されることによってその交差部で交差している出力信号線と入力信号線とが接続されるようになっている。また、第１検出キー２３は、出力信号線Ｘ５（検出キー２３乃至２５専用の出力信号線）と入力信号線Ｙ１とが交差する交差部に配設されており、第１検出キー２３が第１シート２０のタブ２０ｂにより押下されることによって出力信号線Ｘ５と入力信号線Ｙ１とが接続される。なお、第２検出キー２４は、出力信号線Ｘ５と入力信号線Ｙ２とが交差する交差部に、第３検出キー２５は、出力信号線Ｘ５と入力信号線Ｙ３とが交差する交差部に、それぞれ第１検出キー２３と同様に配設されている。なお、本実施形態では、ワンタッチキー１９の数は１６個であるか、ワンタッチキー１９の数はこれに限定されるものではなく、出力信号線と入力信号線の本数を減少又は増加させて、ワンタッチキー１９の数を変更することも可能である。
【００２５】
次に、押下されたワンタッチキー１９のキーコードを生成する際のパネルＩＣ１５の処理動作について説明する。パネルＩＣ１５は、出力信号線Ｘ１乃至Ｘ５から順次出力した所定の信号が入力信号線Ｙ１乃至Ｙ４から入力されるか否かを監視することによりワンタッチキー１９の状態及び検出キー２３乃至２５の状態を取得する（取得手段）。具体的には、パネルＩＣ１５は、出力信号線Ｘ１、出力信号線Ｘ２、出力信号線Ｘ３、出力信号線Ｘ４、出力信号線Ｘ５の順にいずれか１つの信号線から所定の信号を出力する。このとき、キーマトリクスＫＭのいずれかのキーが押下されている場合、いずれかの入力信号線から所定の信号がパネルＩＣ１５に入力される。パネルＩＣ１５は、上記した出力信号線Ｘ１から出力信号線Ｘ５までの所定の信号の出力を所定の周期で繰り返している。
【００２６】
なお、パネルＩＣ１５は、出力信号線Ｘ５（検出キー２３乃至２５専用）に所定の信号を出力して検出キー２３乃至２５の状態を取得した際には、取得した検出キー２３乃至２５の状態をレジスタ２７に記憶する。ここで、図６及び図７は、パネルＩＣ１５が検出キー２３乃至２５の状態を取得する際の所定の信号の流れと検出キー２３乃至２５の状態を示した図であり、図中においてパネルＩＣ１５が所定の信号を出力する出力信号線を「Ｈ」とし、所定の信号を出力しない出力信号線を「Ｌ」とする。また、パネルＩＣ１５に所定の信号が入力された入力信号線を「Ｈ」とし、所定の信号が入力されていない入力信号線を「Ｌ」とする。パネルＩＣ１５が出力信号線Ｘ５に所定の信号を出力した際に、例えばシート２０乃至２２が全て閉じられている場合（図３（ａ））、図６（ａ）に示すように、出力信号線Ｘ５と入力信号線Ｙ１乃至Ｙ３が接続されるので、入力信号線Ｙ１乃至Ｙ３からパネルＩＣ１５に所定の信号が入力される。この場合、パネルＩＣ１５は、検出キー２３乃至２５（図中の黒丸）が全て押下されていることを示す情報を取得し、これをレジスタ２７に記憶する。また、第１シート２０が開いており、第２シート２１及び第３シート２２が閉じられている場合（図３（ｂ））、図６（ｂ）に示すように、入力信号線Ｙ２及びＹ３からパネルＩＣ１５に所定の信号が入力されるので、パネルＩＣ１５は、第２検出キー２４及び第３検出キー２５（図中の黒丸）が押下されていることを示す情報を取得し、これをレジスタ２７に記憶する。
【００２７】
また、第１シート２０及び第２シート２１が開いており、第３シート２２のみが閉じられている場合（図４（ａ））、図７（ａ）に示すように、入力信号線Ｙ３からパネルＩＣ１５に所定の信号が入力されるので、パネルＩＣ１５は、第３検出キー２５（図中の黒丸）が押下されていることを示す情報を取得し、これをレジスタ２７に記憶する。また、シート２０乃至２２が全て開いている場合（図４（ｂ））、図７（ｂ）に示すように、入力信号線Ｙ１乃至Ｙ３から所定の信号は入力されないので、パネルＩＣ１５は、全ての検出キー２３乃至２５が押下されていないことを示す情報を取得し、これをレジスタ２７に記憶する。なお、レジスタ２７は、パネルＩＣ１５が新たな検出キー２３乃至２５の状態を取得した場合には、記憶している検出キー２３乃至２５の状態に代えてパネルＩＣ１５が新たに取得した検出キー２３乃至２５の状態を記憶する。なお、所定の信号を出力する順序は特に限定されるものではなく、出力信号線Ｘ５に所定の信号を出力した後に、出力信号線Ｘ１乃至Ｘ４に所定の信号を順次出力するようにしてもよい。
【００２８】
パネルＩＣ１５は、ワンタッチキー１９が操作されたことにより、ワンタッチキー１９の状態が変化した場合に、操作されたワンタッチキー１９を特定し、レジスタ２７の検出キー２３乃至２５の状態に基づいて操作されたワンタッチキー１９に対応するキーコードを生成する（キーコード生成手段）。例えば、出力信号線Ｘ１から出力した所定の信号が入力信号線Ｙ１から入力された場合には、この出力信号線Ｘ１と入力信号線Ｙ１との交差部に配設されているワンタッチキー１９ａ（１９）が押下されたことを特定する。このとき、レジスタ２７に全ての検出キー２３乃至２５が押下されていることを示す情報が記憶されている場合（図３（ａ）の状態）には、「０１」に対応するキーコードを生成する。また、例えば、出力信号線Ｘ１と入力信号線Ｙ１との交差部に配設されたワンタッチキー１９ａが押下されたことを特定し、レジスタ２７に第２検出キー２４及び第３検出キー２５が押下されていることを示す情報が記憶されている場合（図３（ｂ）の状態）には、「１７」に対応するキーコードを生成する。なお、いずれのワンタッチキー１９も押下されていない場合には、パネルＩＣ１５は、ワンタッチキー１９が操作されていない旨のコードを生成する。
【００２９】
以上説明したように、パネルＩＣ１５は、同じワンタッチキー１９が押下されてもレジスタ２７に記憶している検出キー２３乃至２５の状態によって異なるキーコードを生成する。パネルＩＣ１５は、クロック発生器２６が生成したクロック信号で動作して、上記のように複数の出力信号線Ｘ１乃至Ｘ５から順次出力した所定の信号が複数の入力信号線Ｙ１乃至Ｙ４から入力されるか否かを監視する処理を所定の周期、すなわち、クロック信号を受信する周期で行って、ワンタッチキー１９が操作されていない場合にはその旨のコードを、ワンタッチキー１９が操作された場合にはレジスタ２７の検出キー２３乃至２５の状態に基づいてキーコードを生成し、生成したキーコードを、信号線Ｌ２を介して制御部２に転送する。
【００３０】
これに対して、制御部２は、パネルＩＣ１５から転送されたキーコードに対応するファクシミリ番号の表示用データをＲＡＭ９から読み出して、このファクシミリ番号の表示用データを信号線Ｌ１を介してパネルＩＣ１５に転送する。例えば、「０１」に対応するキーコードが転送されてきた場合、制御部２は、ＲＡＭ９に記憶されている「０１」に対応付けて登録されたファクシミリ番号の表示用データを読み出してパネルＩＣ１５に転送する。パネルＩＣ１５は、制御部２から転送されてきたファクシミリ番号のデータを液晶表示装置１７に出力し、液晶表示装置１７は、このファクシミリ番号を表示する。
【産業上の利用可能性】
【００３１】
本発明は、例えば、コピー機やファクシミリ装置、これらの複合機等が備える操作入力装置に適用することができる。
【図面の簡単な説明】
【００３２】
【図１】複合機の構成例を示すブロック図である。
【図２】本発明の実施形態に係る操作入力装置のワンタッチキーを示す概略斜視図である。
【図３】本発明の実施形態に係る操作入力装置のワンタッチキーを示す図である。
【図４】本発明の実施形態に係る操作入力装置のワンタッチキーを示す図である。
【図５】本発明の実施形態に係る操作入力装置のパネルＩＣ、ワンタッチキー及び検出キーの電気的な構成を示す図である。
【図６】パネルＩＣが検出キーの状態を取得する際の所定の信号の流れと検出キーの状態を示した図である。
【図７】パネルＩＣが検出キーの状態を取得する際の所定の信号の流れと検出キーの状態を示した図である。
【図８】従来例に係る操作入力装置のパネルＩＣ、ワンタッチキー及び検出キーの電気的な構成を示す図である。
【符号の説明】
【００３３】
１    複合機
２    制御部
３    ＲＯＭ
９    ＲＡＭ
１０    操作入力装置
１５    パネルＩＣ
１９    ワンタッチキー
２０    第１シート
２１    第２シート
２２    第３シート
２３    第１検出キー
２４    第２検出キー
２５    第３検出キー
２７    レジスタ
ＫＭ    キーマトリクス
Ｘ１、Ｘ２、Ｘ３、Ｘ４、Ｘ５    出力信号線
Ｙ１、Ｙ２、Ｙ３、Ｙ４    入力信号線
Ｐ    操作パネル
【図１】
2006023874.tif 000003
【図２】
2006023874.tif 000004
【図３】
2006023874.tif 000005
【図４】
2006023874.tif 000006
【図５】
2006023874.tif 000007
【図６】
2006023874.tif 000008
【図７】
2006023874.tif 000009
【図８】
2006023874.tif 000010